(57)【要約】【課題】接触センサの誤検知による意図しない報知動作の停止を防ぎ、ユーザが認識すべき電話、メールの着信、アラーム等を確実にユーザに気付かせる。【解決手段】スマートフォン（１）は、接触センサ（１１）への接触が検知され、かつ、状態検知部（１２）が、当該接触がユーザの手による接触であることを検知した場合、報知音の出力を停止させる。【選択図】図１
2015015600.tif 000002
【特許請求の範囲】
【請求項１】
報知音を出力する携帯端末であって、
筐体を把持したユーザの手が接触する位置に設けられた接触センサと、
上記接触センサへの接触がユーザの手による接触であることを検知する状態検知部と、
上記報知音を出力中に、上記接触センサへの接触が検知され、かつ、上記状態検知部が当該接触がユーザの手による接触であることを検知した場合、上記報知音の出力を停止させ、または減音させる報知動作制御手段と、を備えていることを特徴とする携帯端末。
【請求項２】
上記接触センサが接触を検知した後、上記状態検知部への電力供給を開始する電源制御手段をさらに備える、ことを特徴とする請求項１に記載の携帯端末。
【請求項３】
上記状態検知部は、下記（１）から（５）の少なくとも１つの条件が満たされる場合に、上記接触センサへの接触がユーザの手による接触であることを検知することを特徴とする請求項１または２に記載の携帯端末。
（１）上記状態検知部に含まれる近接センサが自端末の周囲に物体がないことを検知。
（２）上記状態検知部に含まれる照度センサが自端末の周囲の照度が所定値より高いことを検知。
（３）上記状態検知部に含まれる角速度センサが、自端末の姿勢が、自端末が水平面上に置かれたときの姿勢と一致しないことを検知。
（４）上記状態検知部に含まれる加速度センサが自端末が静止状態にないことを検知。
（５）上記状態検知部に含まれる温度センサが、ユーザが自端末を把持したときに検知されると想定される範囲内の温度を検知。
【請求項４】
報知音を出力する携帯端末の制御方法であって、
上記携帯端末の筐体に、上記携帯端末を把持したユーザの手が接触する位置に設けられた接触センサによって接触を検知する接触検知ステップと、
上記接触センサへの接触がユーザの手による接触であることを状態検知部によって検知する状態検知ステップと、
上記報知音を出力中に、上記接触検知ステップにて上記接触センサへの接触を検知し、かつ、上記状態検知ステップにて当該接触がユーザの手による接触であることを検知した場合、上記報知音の出力を停止させる報知動作制御ステップと、を含むことを特徴とする携帯端末の制御方法。
【発明の詳細な説明】
【技術分野】
【０００１】
本発明は、報知音を発する、携帯電話機、ＰＨＳ、コードレス電話機等の携帯端末に関する。
【背景技術】
【０００２】
従来、携帯電話機、ＰＨＳ、コードレス電話機等の携帯端末について、着信（呼び出し）があると、ベル、リンガー等の着信報知音（呼び出し音）を鳴らす一方、ユーザが該携帯端末を手に持つなどすると、該着信報知音の出力を停止する技術が知られている。
【０００３】
例えば、下掲の特許文献１には、携帯端末の本体に設けられたタッチセンサと、前記タッチセンサが接触を感知したときに着信有りか否かを判定し、着信有りのときは着信報知動作を停止させる制御部とを備えたことを特徴とする携帯端末が開示されている。
【先行技術文献】
【特許文献】
【０００４】
【特許文献１】特開平１１−３３１３２７号公報（１９９９年１１月３０日公開）
【発明の概要】
【発明が解決しようとする課題】
【０００５】
しかしながら、上述のような従来技術は、携帯端末が把持されていない場合にもタッチセンサが接触を検知して報知音の出力を誤って停止させてしまい、その結果、本来は報知音を出力してユーザに通知すべき着信を通知できないことがあるという問題があった。
【０００６】
例えば、感圧式のタッチセンサについて、携帯端末がバッグ等の中に入れられ周囲のものと接触している場合、タッチセンサに接触しているのが手以外のものでもあっても、タッチセンサが接触を感知して着信報知動作を停止させてしまうことがある。また、静電式のタッチセンサの場合、携帯端末が金属製の机の上に置かれている時、および金属物等と一緒にバッグに入れられている時には、タッチセンサが誤って接触を検知してしまい、着信報知動作を停止させてしまうことがある。
【０００７】
本発明は、上記の問題点に鑑みてなされたものであり、その目的は、タッチセンサの誤検知による意図しない報知動作の停止を防ぎ、ユーザが認識すべき電話、メールの着信、アラーム等を確実にユーザに気付かせることのできる携帯端末、制御方法、制御プログラムおよび記録媒体を提供することにある。
【課題を解決するための手段】
【０００８】
上記の課題を解決するために、本発明の一態様に係る携帯端末は、報知音を出力する携帯端末であって、筐体を把持したユーザの手が接触する位置に設けられた接触センサと、上記接触センサへの接触がユーザの手による接触であることを検知する状態検知部と、上記報知音を出力中に、上記接触センサへの接触が検知され、かつ、上記状態検知部が当該接触がユーザの手による接触であることを検知した場合、上記報知音の出力を停止させ、または減音させる報知動作制御手段と、を備えていることを特徴としている。
【発明の効果】
【０００９】
本発明の一態様によれば、上記接触センサが、筐体を把持したユーザの手以外の物体との接触を誤検知してしまった場合に、ユーザの意図しない報知音の出力停止を防止できる。よって、ユーザが認識すべき電話・メール等の着信、アラーム等を確実にユーザに気付かせることができるという効果を奏する。
【図面の簡単な説明】
【００１０】
【図１】本発明の一態様に係る携帯端末の要部構成の一例を示すブロック図である。
【図２】図１のスマートフォンの外観を示す図である。
【図３】図１のスマートフォンの処理の概要を示す図である。
【図４】スマートフォンが、ポケットに入れられている状態、手で把持されている状態、および机の上に置かれている状態を対比して示す図である。
【図５】図１のスマートフォンの処理の流れを示すフローチャートである。
【図６】図１のスマートフォンの処理の流れを示すフローチャートである。
【図７】図１のスマートフォンの処理の流れを示すフローチャートである。
【図８】状態検知部の電源ＯＮ／電源ＯＦＦを切り替える条件を示す図である。
【図９】図１のスマートフォンの処理の流れを示すフローチャートである。
【図１０】近接センサおよび照度センサの電源がＯＮにされる条件を示す図である。
【図１１】図１のスマートフォンの処理の流れを示すフローチャートである。
【図１２】図１のスマートフォンの処理の流れを示すフローチャートである。
【図１３】図１のスマートフォンの処理の流れを示すフローチャートである。
【発明を実施するための形態】
【００１１】
〔実施形態１〕
以下、本発明の実施の形態について、図１〜図５、および図１３に基づいて説明する。ここでは、本発明の一態様に係る携帯端末をスマートフォン１として実現した例について説明する。スマートフォン１（携帯端末）は、電話・メール等の着信があると着信音を出力してユーザに該着信を報知する。また、スマートフォン１は、目覚まし機能等のアラーム機能を備え、目覚まし時刻等の所定条件が満たされるとアラーム音を出力して該所定条件が満たされたことをユーザに報知する。すなわち、スマートフォン１は、着信音およびアラーム音を含む報知音を出力して、上記着信があったこと、および上記所定条件が満たされたことを報知する。なお、以下では、スマートフォン１が実行する報知動作のうち特に、電話・メール等の着信があった場合の報知動作の制御を中心に、つまり着信音等の出力の制御を中心に、説明を行うが、所定条件が満たされた場合のアラーム音等の出力の場合も同様である。
【００１２】
図１は、本発明の一態様に係るスマートフォン１の要部構成の一例を示すブロック図である。また、図２は、スマートフォン１の外観を示す図である。
【００１３】
（スマートフォンの概要）
最初にスマートフォン１の概要を説明しておけば、以下の通りである。すなわち、スマートフォン１は、接触センサ１１が接触を検知し、かつ、接触センサ１１への接触がユーザの手による接触であることを検知する状態検知部１２が、接触センサ１１の検知した接触がユーザの手による接触であることを検知した場合、該報知音の出力を停止させ、または減音させる。従って、スマートフォン１は、接触センサ１１が検知した接触が、筐体を把持したユーザの手ではない場合、つまり、接触センサ１１が、筐体を把持したユーザの手以外の物体との接触を誤検知してしまった場合、ユーザの意図しない報知音の出力停止を防ぐ。その結果、スマートフォン１は、ユーザが認識すべき電話・メール等の着信、アラーム等を確実にユーザに気付かせることができる。
【００１４】
図１に示すとおり、スマートフォン１は、制御部１０、接触センサ１１、状態検知部１２、記憶部１３、スピーカ１４、ライト１５、バイブレータ１６、通信部１７、タイマ１８、および、電源１９を備えている。なお、スマートフォン１はさらに、マイク、タッチパネル画面など、スマートフォンとして機能するために必要な機構を備えているが、これらは発明の特徴点と直接関係がないため、ここでは図示していない。
【００１５】
接触センサ１１は、スマートフォン１を把持したユーザの手が接触する位置に設けられ、例えば図２に示すように、スマートフォン１の側面の下側半分に設けられ、接触を検知する。接触センサ１１は、接触を検知すると検知信号を接触判定部１０１へ通知する。
【００１６】
状態検知部１２は、接触センサ１１への接触がユーザの手による接触であることを検知する。具体的には、状態検知部１２は、接触センサ１１への接触がユーザの手による接触であるかを判定するために、スマートフォン１の周囲の状態、または自端末の状態を検知し、検知結果を状態判定部１０２に通知する。状態検知部１２は、例えば、近接センサ１２１、照度センサ１２２、傾きセンサ１２３（角速度センサ）、加速度センサ１２４、温度センサ１２５を含むが、これらのセンサ全てを含む必要はなく、以下に説明する各実施の態様ごとに、必要なセンサを備えればよい。また、状態検知部１２は、上記に例示した各種のセンサだけでなく、スマートフォン１の周囲の状態、または自端末の状態を検知する任意の構成を含み、接触センサ１１への接触がユーザの手による接触であるかを判定するための状態情報を取得するものであればよい。詳細は後述する。上記に例示した各種のセンサは、従来の一般的な携帯端末に装備されていることが多く、スマートフォン１は、新しい部品・装置を特別に追加することなく接触センサ１１の誤検知を防ぐことができる。
【００１７】
近接センサ１２１は、自身と対象物との距離を検出するセンサであり、接触センサ１１とは異なる位置に設けられ、スマートフォン１の周囲にある物体の存在を検知する。なお、近接センサ１２１は、周囲の物体までの距離を測定する測距センサであってもよい。照度センサ１２２は、スマートフォン１の周囲の明るさ（例えば、入射光量）を検出するセンサである。傾きセンサ１２３は、スマートフォン１の傾きを検知するセンサであり、例えば角速度センサ（Ｇｙｒｏセンサ）である。加速度センサ１２４は、スマートフォン１の移動を検知するセンサであり、スマートフォン１が動いている状態にあるか、それとも静止している状態にあるのかを検知する。温度センサ１２５は、接触センサ１１によって接触を検知される物体の温度を測定するセンサであり、スマートフォン１を把持するユーザの手による温度を測定可能な位置（例えば、把持したユーザの手が触れる位置）に設けられていればよく、接触センサ１１と一体であってもよい。
【００１８】
スピーカ１４は、着信音およびアラーム音を含む報知音を出力して、電話・メール等の着信、および目覚まし時刻等の所定条件が満たされたこと等をユーザに報知する。ライト１５は、点滅等をすることによって、ユーザに、報知音に代えて、または報知音と組み合わせて、着信、および上記所定条件が満たされたこと等を報知する。バイブレータ１６は、スマートフォン１を振動させて、ユーザに、報知音に代えて、または報知音と組み合わせて、電話・メール等の着信、および上記所定条件が満たされたこと等を報知する。
【００１９】
通信部１７は、スマートフォン１への電話・メール等に係る信号を受信するとともに、電話・メール等に係る信号を送信する。タイマ１８は、時間を計測するための計時機構であり、計測した時間を報知動作制御部１０３に通知する。電源１９は、電源制御部１０５からの指示に基づいて、接触センサ１１、状態検知部１２等に電力を供給する。
【００２０】
記憶部１３は、スマートフォン１が使用する各種データを格納するものである。記憶部１３は、スマートフォン１の制御部１０が実行する（１）制御プログラム、（２）ＯＳプログラム、（３）各種機能を実行するためのアプリケーションプログラム、および、（４）該アプリケーションプログラムを実行するときに読み出す各種データを記憶するものである。また、記憶部１３には、状態判定基準１３１およびアラーム条件１３２が格納されており、詳細は後述する。上記の（１）〜（４）のデータは、例えば、ＲＯＭ（read only memory）、フラッシュメモリ、ＥＰＲＯＭ（Erasable Programmable ROM）、ＥＥＰＲＯＭ（登録商標）（Electrically EPROM）、ＨＤＤ（Hard Disc Drive）等の不揮発性記憶装置に記憶される。スマートフォン１は、図示しない一時記憶部を備えていてもよい。一時記憶部は、スマートフォン１が実行する各種処理の過程で、演算に使用するデータおよび演算結果等を一時的に記憶するいわゆるワーキングメモリであり、ＲＡＭ（Random Access Memory）などの揮発性記憶装置で構成される。どのデータをどの記憶装置に記憶するのかについては、スマートフォン１の使用目的、利便性、コスト、または、物理的な制約などから適宜決定される。
【００２１】
制御部１０は、報知音の出力を含む報知動作、接触判定処理、状態判定処理等を含むスマートフォン１の機能を統括して制御する。図示の制御部１０には、機能ブロックとして、接触判定部１０１、状態判定部１０２、報知動作制御部１０３（報知動作制御手段）、着信検知部１０４、電源制御部１０５（電源制御手段）が含まれている。上述の制御部１０の各機能ブロックは、例えば、ＣＰＵ（central processing unit）などが、ＲＯＭ（read only memory）、ＮＶＲＡＭ（non-Volatile random access memory）等で実現された記憶装置（記憶部１３）に記憶されているプログラムを不図示のＲＡＭ（random access memory）等に読み出して実行することで実現できる。以下、詳細を説明する。
【００２２】
（各機能ブロックの概要）
着信検知部１０４は、通信部１７が電話・メール等に係る信号を受信すると、該受信があったことを、つまり、着信があったことを、報知動作制御部１０３へ通知する。
【００２３】
接触判定部１０１は、接触判定処理を行う。具体的には、接触センサ１１から検知信号を取得すると、接触センサ１１への接触があったと判定する。そして、上記の判定結果を、電源制御部１０５および報知動作制御部１０３へ出力する。
【００２４】
状態判定部１０２は、状態判定処理を行い、具体的には、状態検知部１２から検知結果を取得し、当該検知結果と、記憶部２０に記憶されている状態判定基準１３１とから、スマートフォン１の周囲の状態、または自端末の状態を判定する。そして、上記の判定結果を、報知動作制御部１０３へ出力する。状態判定処理について、詳細は後述する。
【００２５】
報知動作制御部１０３は、スピーカ１４からの報知音の出力、ライト１５の点滅、バイブレータ１６の振動等の、スマートフォン１の行う報知動作を、接触判定部１０１および状態判定部１０２による判定結果に基づいて、制御する。具体的には、着信検知部１０４から電話・メール等の着信があったことを通知されると、報知動作制御部１０３はスピーカ１４に着信音（報知音）を出力させる。また、報知動作制御部１０３は、アラーム条件１３２が満たされたのを確認すると、スピーカ１４にアラーム音（報知音）を出力させる。例えば、タイマ１８から通知された時間が、アラーム条件１３２に格納された目覚まし時刻に一致したのを確認すると、報知動作制御部１０３は、スピーカ１４に目覚まし音（報知音）を出力させる。なお、報知動作制御部１０３は、上記報知音の出力の前に、または上記報知音の出力と同時に、ライト１５の点滅およびバイブレータ１６の振動の少なくとも一方を実行してもよい。そして、報知動作制御部１０３は、上記報知音を出力中に、または出力する前に、接触センサ１１への接触が検知され、かつ、状態検知部１２が、当該接触がユーザの手による接触であることを検知した場合、上記報知音の出力を停止させる。つまり、報知動作制御部１０３は、接触判定部１０１による接触判定処理の結果と、状態判定部１０２による状態判定処理の結果とに基づいて、スマートフォン１がユーザに把持されたのを検知すると、報知音の出力を停止する。そして、報知動作制御部１０３は、上記報知音の出力に代えて、ライト１５の点滅、およびバイブレータ１６の振動の少なくとも一方を実行して、上記着信およびアラーム条件１３２が満たされたことを、ユーザに報知する。なお、報知動作制御部１０３は、接触センサ１１への接触が検知され、かつ、状態検知部１２が、当該接触がユーザの手による接触であることを検知した場合、該報知音の音量を小さくして出力してもよい。
【００２６】
電源制御部１０５は、電源１９を制御して、電源１９から状態検知部１２への電力供給を制御する。
【００２７】
（記憶部に格納されている情報）
状態判定基準１３１は、状態検知部１２によって検知された状態情報を用いて、スマートフォン１の周囲の状態、または自端末の状態を判定するための各種基準である。状態判定基準１３１は、例えば、スマートフォン１の周囲の明るさについて、「スマートフォン１がバッグ等の中に入れられている状態であるか否か」を判定するための、基準照度値（所定値）を含む。また、例えば、スマートフォン１がユーザに把持されている状態か、それとも机等の上に置かれている状態かを判定するための、「基準加速度」、「水平軸に対する傾き基準」を含む。さらに、「ユーザが自端末を把持したときに検知されると想定される温度の範囲」を含む。また、アラーム条件１３２は、例えば目覚まし時刻等、スマートフォン１がアラーム音の出力等の報知動作を実行する条件である。
【００２８】
（処理の概要）
図３は、図１のスマートフォンの処理の概要を示す図である。図３に示すように、スマートフォン１は、着信音を出力中に、接触センサ１１によって接触が検知され、接触センサ１１への接触がユーザの手による接触であることが状態検知部１２によって検知されると、該着信音の出力を停止させる。なお、詳細は後述するが、状態検知部１２の電源は、接触センサ１１が接触を検知してからＯＮにされ、状態情報を取得するとまたＯＦＦにされることが好ましい。
【００２９】
図４は、スマートフォン１について、ポケットに入れられている状態、手（Ｈ）で把持されている状態、机（Ｄ）の上に置かれている状態を対比して示す図である。図４に示すように、接触センサ１１は、例えば、ポケットの内側、またはユーザの手と接触して、接触を検知する。また、接触センサ１１は、机等の上に置かれているだけの状態であっても、例えば接触センサ１１が静電式センサである場合、机が金属製である等、誘電性物質が周辺に存在する時には接触を検知してしまうことがある。従って、接触センサ１１が接触を検知したということのみでは、接触センサ１１が、ユーザの手との接触以外の接触を誤検知してしまった場合であるのかを判定することはできない。しかしながら、図４に示すように、スマートフォン１の周囲の状態、または自端末の状態は、スマートフォン１が、ポケットに入れられている場合、手で把持されている場合、および机の上に置かれている場合の各々で、異なる。従って、スマートフォン１の周囲の状態、または自端末の状態を検知し、これを判定することによって、接触センサ１１が検知した接触が、スマートフォン１を把持するユーザの手との接触であるかを判定することができる。つまり、スマートフォン１は、接触センサ１１が検知した接触と、状態検知部１２が検知したスマートフォン１の周囲の状態または自端末の状態と、に基づき、報知動作を制御する。
【００３０】
（処理の詳細）
以下、さらに図５を用いて、本実施の形態におけるスマートフォン１の処理についてより詳細に説明する。図５は、本実施の形態に係るスマートフォン１の処理の流れを示すフローチャートである。ここで、本実施の形態に係るスマートフォン１において、状態検知部１２は、接触センサ１１とは異なる位置に設けられた近接センサ１２１および照度センサ１２２を含み、近接センサ１２１が自端末の周囲に物体がないことを検知した場合、および、照度センサ１２２が自端末の周囲の照度が所定値より高いことを検知した場合の少なくともいずれか一方の場合に、接触センサ１１への接触がユーザ手による接触であることを検知する。以下、図５を用いて、スマートフォン１の処理の流れを説明する。
【００３１】
スマートフォン１が主電源ＯＮの状態で（Ｓ１０）、スマートフォン１への電話・メール等の着信を着信検知部１０４が検知する（Ｓ２０）と、接触センサ１１が接触を検知しているかが、接触判定部１０１によって判定される（Ｓ３０）。接触が検知されていない場合（Ｓ３０でＮｏ）、報知動作制御部１０３は、スピーカ１４から着信音を出力させ、つまり着信音の出力を停止させない（Ｓ７０）。接触を検知された場合（Ｓ３０でＹｅｓ）、状態判定部１０２によって、近接センサ１２１が周囲に（例えば、近接センサ３３１からおよそ１０ｃｍ以内に）存在する物体を検知しているかが、判定される（Ｓ４０）。
【００３２】
周囲に存在する物体が検知されない場合（Ｓ４０でＮｏ）、報知動作制御部１０３は、スピーカ１４に着信音の出力を停止させる（Ｓ６０）。なお、Ｓ６０における「鳴音時」および「着信時」について、詳細は後述する。周囲に存在する物体が検知される場合（Ｓ４０でＹｅｓ）、照度センサ１２２が検知する周囲の照度が、状態判定基準１３１における基準照度値（所定値）より大きいかが、状態判定部１０２によって判定される（Ｓ５０）。基準照度値としては、例えば２００ルクス程度を挙げることができる。
【００３３】
周囲の照度が所定値より大きい場合（Ｓ５０でＹｅｓ）、報知動作制御部１０３は、着信音の出力を停止させる（Ｓ６０）。周囲の照度が所定値より小さい場合（Ｓ５０でＮｏ）、報知動作制御部１０３は、着信音を出力させ、つまり着信音の出力を停止させない（Ｓ７０）。ここで、Ｓ６０において鳴音時とは、スマートフォン１への着信があり（Ｓ２０でＹｅｓ）、報知動作制御部１０３が、スピーカ１４に着信音を出力させている状態を指している。報知動作制御部１０３は、鳴音時に、接触センサ１１が接触を検知し（Ｓ３０でＹｅｓ）、状態検知部１２によって、該接触がユーザの手との接触であることを検知すると（Ｓ４０およびＳ５０）、着信音の出力を停止させ、ライト１５を点滅させたり、バイブレータ１６を振動させたりして、ユーザに着信を報知する。また、着信時とは、着信を着信検知部１０４が検知している状態を指している。例えば、着信時に、報知動作制御部１０３は、スピーカ１４に着信音を出力させる前に、ライト１５の点滅、バイブレータ１６の振動等を実行し、ユーザに着信を報知してもよい。その場合、着信検知部１０４が着信を検知し、着信音を出力させる前に、接触センサ１１が接触を検知し（Ｓ３０でＹｅｓ）、状態検知部１２によって、該接触がユーザの手との接触であることを検知すると（Ｓ４０およびＳ５０）、報知動作制御部１０３は、着信音の出力を停止し、つまり着信音を出力せずに、振動および点滅のみによって、ユーザに着信を報知する。
【００３４】
ユーザがスマートフォン１をバッグ等から取り出した場合には、スマートフォン１の周囲には、スマートフォン１を把持するユーザの手以外の物体が存在していないことが多い。従って、接触センサ１１が接触を検知し（Ｓ３０でＹｅｓ）、かつ、接触センサ１１とは異なる位置に設けられた近接センサ１２１が、周囲に存在する物体を検知していない場合（Ｓ４０でＮｏ）、報知動作制御部１０３は、スマートフォン１がユーザに把持されていると判定する。そして、報知動作制御部１０３は、着信音の出力を停止し、点滅およびバイブレーション（振動）による報知を実行する。従って、スマートフォン１は、着信音を響かせて周囲に迷惑をかけることを防ぐことができる。また、近接センサ１２１が、周囲に存在する物体を検知している場合でも（Ｓ４０でＹｅｓ）、周囲の照度が所定値より大きい時には（Ｓ５０でＹｅｓ）、報知動作制御部１０３は、スマートフォン１がバッグから取り出されてユーザに把持されている状態であると判定し、着信音の出力を停止する。
【００３５】
図１３は、図５とは異なり、近接センサ１２１を備えないスマートフォン１の処理の流れを示すフローチャートである。図１３に示すように、近接センサ１２１を用いず、照度センサ１２２のみにより、スマートフォン１がユーザに把持されているかを判定してもよい。スマートフォン１がバッグの中に入れられている場合、スマートフォン１の周囲は暗くなっており、バッグの中にあることを照度センサ１２２で判別することが可能である。
【００３６】
以上を整理すれば、スマートフォン１は、接触センサ１１への接触が検知され、かつ、近接センサ１２１の周囲に物体が存在しない場合、および周囲の照度が所定値以上である場合の少なくとも一方の場合に、着信音の出力を停止する。従って、例えばスマートフォン１がバッグ、ポケット等の中に入れられて周囲に存在する物体と接触している場合等、接触センサ１１が、ユーザの手以外の物体との接触を検知してしまった場合に、誤って着信音を消音してしまうことを防ぐことができる。また、携帯電話等の携帯端末に一般的に装備されている近接センサ１２１および照度センサ１２２を用いて、接触センサ１１の誤検知を防ぐことができ、新しい部品・機能を追加せずに実現することができる。さらに、特に接触センサ１１が感圧式センサである場合、スマートフォン１がバッグ、ポケット等の中に入れられていると、接触センサ１１は、筐体を把持したユーザの手以外の物体との接触であっても、接触を検知してしまう。従って、近接センサ１２１および照度センサ１２２を用いて、接触センサ１１への接触がユーザの手による接触であるか否かを判定することによって、より正確に、ユーザへの報知動作を制御することが可能となる。
【００３７】
〔実施形態２〕
以下、本発明の他の実施形態について、図６に基づいて説明する。なお、説明の便宜上、前記実施形態にて説明した部材と同じ機能を有する部材については、同じ符号を付記し、その説明を省略する。本実施の形態に係るスマートフォン１において、状態検知部１２は、傾きセンサ１２３および加速度センサ１２４を含み、傾きセンサ１２３が、自端末の姿勢が、自端末が水平面上に置かれたときの姿勢と一致しないことを検知した場合、および、加速度センサ１２４が自端末が静止状態にないことを検知した場合の少なくともいずれか一方の場合に、接触センサ１１への接触がユーザ手による接触であることを検知する。
【００３８】
図６は、本実施の形態に係るスマートフォン１の処理の流れを示すフローチャートである。図６に示すように、スマートフォン１の電源がＯＮの状態で（Ｓ１１０）、スマートフォン１への着信が検知される（Ｓ１２０）と、接触センサ１１による接触の検知があるかが、判定される（Ｓ１３０）。接触センサ１１によって接触が検知されない場合（Ｓ１３０でＮｏ）、報知動作制御部１０３は、着信音を出力させ、つまり着信音の出力を停止させない（Ｓ１６０）。接触を検知している場合（Ｓ１３０でＹｅｓ）、状態判定部１０２によって、傾きセンサ１２３が自端末が水平状態にあることを検知し、または、加速度センサ１２４が自端末が静止状態にあることを検知したかが、判定される（Ｓ１４０）。傾きセンサ１２３によって自端末が水平状態でないことが検知され、または、加速度センサ１２４によって自端末が静止状態でないことが検知された場合（Ｓ１４０でＮｏ）、報知動作制御部１０３は、スピーカ１４に着信音の出力を停止させる（Ｓ１５０）。傾きセンサ１２３によって自端末が水平状態にあることが検知され、または、加速度センサ１２４によって自端末が静止状態にあることが検知された場合（Ｓ１４０でＹｅｓ）、報知動作制御部１０３は、着信音を出力させ、つまり着信音の出力を停止させない（Ｓ１６０）。
【００３９】
ここで、スマートフォン１を水平面上に置いたときのスマートフォン１の姿勢を、「水平軸に対しておよそ０°（または１８０°）」とすると、図４に示すようにポケットに入れられたスマートフォン１の姿勢は、水平軸に対しておよそ８０°〜１１０°である。従って、傾きセンサ１２３によって検知されるスマートフォン１の姿勢が、例えば、水平軸に対しておよそ２５°〜７５°の範囲の傾きであると状態判定部１０２が判定する場合、接触センサ１１が検知している接触はユーザの手との接触であると判定される。また、スマートフォン１の姿勢が、水平軸に対しておよそ０°（１８０°）〜２０°（１６０°）または８０°〜１１０°の範囲の傾きであると判定する場合には、接触センサ１１が検知している接触はユーザの手との接触ではないと判定される。
【００４０】
また、加速度センサ１２４によって検知されるスマートフォン１の加速度によって、状態判定部１０２が、スマートフォン１は静止している状態であると判定する場合、スマートフォン１は机等の上に置かれたままの状態で、ユーザに把持されていないと判定される。なお、ユーザがスマートフォン１を把持してスマートフォン１がほぼ静止している場合と、スマートフォン１が机等の上に置かれて静止している場合とは、区別することができる。例えば、スマートフォン１の姿勢と、スマートフォン１の加速度とを組み合わせて、上記２つの場合を区別してもよい。また、ユーザがスマートフォン１をバッグ等から取り出したり、スマートフォン１を持ち上げたりする際のスマートフォン１の加速度を検知することによって、接触センサ１１が検知する接触は、スマートフォン１を把持するユーザの手との接触であると判定してもよい。さらに、スマートフォン１が静止していない状態が所定の時間（例えば、１〜２秒間）以上継続する場合には、接触センサ１１が検知している接触はユーザがスマートフォン１を使用するために行う把持ではない、と推定してもよい。
【００４１】
以上に説明したように、スマートフォン１は、接触センサ１１への接触が検知され、かつ、スマートフォン１の姿勢が水平ではない場合、およびスマートフォン１が静止していない場合の少なくとも一方の場合、着信音の出力を停止する。従って、例えばスマートフォン１がテーブル等の上に置いてある場合等、接触センサ１１が、人の手以外の物体との接触によって、接触を検知してしまった場合にも、誤って着信音を停止してしまうことを防ぐことができる。また、携帯電話等の携帯端末に一般的に装備されている傾きセンサ１２３（角速度センサ）および加速度センサ１２４の少なくともいずれか一方を用いて、接触センサ１１の誤検知を防ぐことができ、新しい部品・機能を追加せずに実現することができる。さらに、特に接触センサ１１が静電式センサである場合、周囲に誘電性物質が存在すると、接触センサ１１は、ユーザの手と接触していなくとも、接触を検知してしまうことがある。従って、傾きセンサ１２３および加速度センサ１２４の少なくともいずれか一方を用いて、接触センサ１１への接触がユーザの手による接触であるか否かを判定することによって、より正確に、ユーザへの報知動作を制御することが可能となる。
【００４２】
〔実施形態３〕
以下、本発明の他の実施形態について、図７に基づいて説明する。本実施の形態に係るスマートフォン１において、状態検知部１２は、温度センサ１２５を含み、温度センサ１２５が、ユーザが自端末を把持したときに検知されると想定される範囲内の温度を検知した場合に、接触センサ１１への接触がユーザの手による接触であることを検知する。
【００４３】
図７は、本実施の形態に係るスマートフォン１の処理の流れを示すフローチャートである。図７に示すように、スマートフォン１の電源がＯＮの状態で（Ｓ２１０）、スマートフォン１への着信が検知される（Ｓ２２０）と、接触センサ１１による接触の検知があるかが、判定される（Ｓ２３０）。接触センサ１１によって接触が検知されない場合（Ｓ２３０でＮｏ）、報知動作制御部１０３は、着信音を出力させ、つまり着信音の出力を停止させない（Ｓ２６０）。接触を検知している場合（Ｓ２３０でＹｅｓ）、状態判定部１０２によって、温度センサ１２５がユーザが自端末を把持したときに検知されると想定される範囲内の温度を検知したかが、判定される（Ｓ２４０）。具体的には、温度センサ１２５が検知する温度が、状態判定基準１３１における「ユーザが自端末を把持したときに検知されると想定される温度の範囲」内にあるかが、状態判定部１０２によって判定される。温度センサ１２５によって、ユーザが自端末を把持したときに検知されると想定される範囲内の温度が検知された場合（Ｓ２４０でＹｅｓ）、報知動作制御部１０３は、スピーカ１４に着信音の出力を停止させる（Ｓ２５０）。温度センサ１２５によって、ユーザが自端末を把持したときに検知されると想定される範囲内（例えば、およそ２９℃〜３６℃）の温度が検知されなかった場合（Ｓ２４０でＹｅｓ）、報知動作制御部１０３は、着信音を出力させ、つまり着信音の出力を停止させない（Ｓ２６０）。
【００４４】
スマートフォン１は、接触センサ１１に接触した物体の温度が、例えば人の体温が取り得るような、所定の範囲の温度である場合、着信音の出力を停止する。従って、スマートフォン１は、接触センサ１１が接触を検知しても、接触センサ１１に接触した物体の温度が、例えば人の手について測定しうるような、所定の範囲の温度ではない場合、着信音の出力を停止しない。従って、接触センサ１１が人の手以外の物体との接触を検知してしまった場合にも、誤って着信音を消音してしまうことを防ぐことができる。また、携帯電話等の携帯端末に一般的に装備されている温度センサ１２５を用いて、接触センサ１１の誤検知を防ぐことができるため、新しい部品・機能を追加せずに実現することができる。
【００４５】
なお、接触センサ１１が検知した接触がユーザの手による接触であるかの判定は、接触センサ１１と接触した物体の絶対温度ではなく、該物体と接触することによって生じる温度変化を利用してもよい。すなわち、所定の時間（例えば１秒間）における温度変化によって、接触センサ１１と接触した物体がユーザの手であるかを判定してもよい。
【００４６】
〔実施形態４〕
以下、本発明の他の実施形態について、図８〜１０に基づいて説明する。本実施の形態に係るスマートフォン１について概要を説明しておけば、スマートフォン１は、接触センサ１１が接触を検知した後、状態検知部１２への電力供給を開始する電源制御部１０５（電源制御手段）を備える。電源制御部１０５は、接触が検知されてから、状態検知部１２への電力供給を開始し、状態検知部１２が状態情報を取得すると、再び、状態検知部１２への電力供給を停止する。
【００４７】
図８は、本実施の形態に係るスマートフォン１について、状態検知部１２の電源についてＯＮ／ＯＦＦを切り替える条件を示す図である。また、図９は、本実施の形態に係るスマートフォン１の処理の流れを示すフローチャートである。さらに、図１０は、本実施の形態に係るスマートフォン１について、近接センサ１２１および照度センサ１２２の各々について、電源がＯＮにされる条件を示す図である。
【００４８】
図８に示すように、本実施の形態に係るスマートフォン１においては、状態検知部１２の電源は、接触センサ１１が接触を検知してからＯＮになり、つまり、接触が検知されてから、電源制御部１０５が、電源１９に、状態検知部１２に対して電力を供給させる。本実施の形態に係るスマートフォン１においては、図９に示す通り、接触センサ１１が接触を検知した後（Ｓ３０でＹｅｓ）、電源制御部１０５は、近接センサ１２１および照度センサ１２２の電源をＯＮにし、つまり、電源１９に、近接センサ１２１および照度センサ１２２に対して電力を供給させる（Ｓ３５）。図９と、前述の図５との違いは、以上の１点のみであるので、この点以外は説明を省略する。また、図１０に示すように、近接センサ１２１および照度センサ１２２の電源は同時にＯＮにしなくともよい。すなわち、接触センサ１１が接触を検知してから近接センサ１２１の電源をＯＮにし、近接センサ１２１が周囲の物体を検知してから照度センサ１２２の電源をＯＮにしてもよい。
【００４９】
本実施の形態に係るスマートフォン１において、接触センサ１１は常に電源ＯＮの状態であるのに対し、状態検知部１２の電源は、接触が検知されてからＯＮにされ、状態検知部１２が状態情報を取得し、検知結果を状態判定部１０２へ通知すると、ＯＦＦにされる。すなわち、電源制御部１０５は、状態検知部１２に対し、接触センサ１１が接触を検知した後に電源１９から電力を供給させ、状態検知部１２が状態情報を取得した後は、電力供給を停止させる。ここで、一般的に、状態検知部１２を構成し得る各種のセンサは、接触センサ１１に比べ電力消費が大きい。スマートフォン１においては、状態検知部１２、つまり、近接センサ１２１および照度センサ１２２への電力供給は、接触が検知されてから開始され、近接センサ１２１および照度センサ１２２には、接触センサ１１への接触があるまでは電力が供給されない。従って、状態検知部１２における電力消費を必要最小限に抑えることができ、スマートフォン１における消費電力を抑制することができる。
【００５０】
〔実施形態５〕
以下、本発明の他の実施形態について、図１１に基づいて説明する。図１１は、本実施の形態に係るスマートフォン１の処理の流れを示すフローチャートである。本実施の形態に係るスマートフォン１においては、図１１に示す通り、接触が検知された後（Ｓ１３０でＹｅｓ）、電源制御部１０５が、電源１９に、傾きセンサ１２３または加速度センサ１２４に対して電力を供給させる（Ｓ１３５）。傾きセンサ１２３または加速度センサ１２４の電源は、接触が検知されてからＯＮにされ、スマートフォン１の傾きまたは加速度を取得すると再びＯＦＦにされるので、電力消費を抑えることができる。
【００５１】
〔実施形態６〕
以下、本発明の他の実施形態について、図１２に基づいて説明する。図１２は、本実施の形態に係るスマートフォン１の処理の流れを示すフローチャートである。本実施の形態に係るスマートフォン１においては、図１２に示す通り、接触が検知されてから（Ｓ２３０でＹｅｓ）、温度センサ１２５に対して電力が供給される（Ｓ２３５）。温度センサ１２５の電源は、接触が検知されてＯＮにされ、接触した物体の温度を取得すると再びＯＦＦにされるので、電力消費を抑えることができる。
【００５２】
〔変形例〕
これまで説明した各実施の態様においては、接触センサ１１を、端末側面の下側半分に設けた例を説明した。ただし、接触センサ１１は、筐体を把持したユーザの手が接触する位置に設けられていればよく、端末側面の下側半分に設けることは必須ではない。接触センサ１１の搭載位置は、端末側面の下側半分に限られず、上側方向にも伸びていてもよい。また、側面ではなく、スマートフォン１のタッチパネル画面の下側に設けてもよい。
【００５３】
さらに、状態情報は、上記に示した、スマートフォン１の周囲にある物体の存在及び照度、スマートフォン１の姿勢または加速度、接触センサ１１と接触した物体の温度に限られるものではない。状態情報は、接触センサ１１が検知した接触が人の手による接触であるかを判定するのに用いることができる情報であればよく、例えば、スマートフォン１が備えるカメラによって撮影した画像を状態情報としてもよい。その場合、上記画像に人の顔が含まれている場合には、状態判定部１０２は上記接触が人の手による接触であると判定してもよい。また、例えば、ＧＰＳを用いてスマートフォン１の姿勢を取得し、スマートフォン１が水平状態でない場合には、接触センサ１１が検知した接触が人の手による接触であると判定してもよい。
【００５４】
〔実施形態７〕
スマートフォン１の制御ブロック（特に接触判定部１０１、状態判定部１０２、報知動作制御部１０３、着信検知部１０４、電源制御部１０５）は、集積回路（ＩＣチップ）等に形成された論理回路（ハードウェア）によって実現してもよいし、ＣＰＵ（Central Processing Unit）を用いてソフトウェアによって実現してもよい。
【００５５】
後者の場合、スマートフォン１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５６】
〔まとめ〕
本発明の態様１に係る携帯端末（スマートフォン１）は、報知音を出力する携帯端末であって、筐体を把持したユーザの手が接触する位置に設けられた接触センサ１１と、接触センサ１１への接触がユーザの手による接触であることを検知する状態検知部１２と、上記報知音を出力中に、接触センサ１１への接触が検知され、かつ、状態検知部１２が当該接触がユーザの手による接触であることを検知した場合、上記報知音の出力を停止させ、または減音させる報知動作制御手段（報知動作制御部１０３）と、を備えていることを特徴としている。
【００５７】
上記の構成によれば、上記接触センサへの接触が検知され、かつ、上記状態検知部が、当該接触がユーザの手による接触であることを検知した場合、上記報知音の出力を停止させる。
【００５８】
従って、上記接触センサが検知した接触が、筐体を把持したユーザの手ではない場合に、つまり、上記接触センサが、筐体を把持したユーザの手以外の物体との接触を誤検知してしまった場合に、ユーザの意図しない報知音の出力停止を防止できる。よって、ユーザが認識すべき電話・メール等の着信、アラーム等を確実にユーザに気付かせることができる。
【００５９】
本発明の態様２に係る携帯端末は、上記態様１において、上記接触センサが接触を検知した後、上記状態検知部への電力供給を開始する電源制御手段（電源制御部１０５）をさらに備えてもよい。
【００６０】
上記の構成によれば、上記状態検知部への電力供給は、上記接触センサが接触を検知してから開始される。すなわち、上記状態検知部には、上記接触センサへの接触があるまでは電力が供給されない。従って、上記状態検知部における電力消費を必要最小限に抑えることができ、上記携帯端末における消費電力を抑制することができる。
【００６１】
本発明の態様３に係る携帯端末では、上記態様１または２において、上記状態検知部は、下記（１）から（５）の少なくとも１つの条件が満たされる場合に、上記接触センサへの接触がユーザの手による接触であることを検知するように構成してもよい。
（１）上記状態検知部に含まれる近接センサが自端末の周囲に物体がないことを検知。
（２）上記状態検知部に含まれる照度センサが自端末の周囲の照度が所定値より高いことを検知。
（３）上記状態検知部に含まれる角速度センサ（傾きセンサ１２３）が、自端末の姿勢が、自端末が水平面上に置かれたときの姿勢と一致しないことを検知。
（４）上記状態検知部に含まれる加速度センサが自端末が静止状態にないことを検知。
（５）上記状態検知部に含まれる温度センサが、ユーザが自端末を把持したときに検知されると想定される範囲内の温度を検知。
【００６２】
上記の構成によれば、状態検知部は、上記（１）から（５）の少なくとも１つの条件が満たされる場合に、上記接触センサへの接触がユーザの手による接触であることを検知することで、携帯端末に既に備えられた、近接センサ、照度センサ、角速度センサ、加速度センサ、温度センサの少なくとも１つを用いて、ユーザの手による把持であることを検知することが可能となる。このように、近接センサ、照度センサ、角速度センサ、加速度センサ、温度センサは、携帯電話などの携帯端末に一般的に装備されているセンサであるため、新しい部品・機能を追加することなく、接触センサが検知した接触がユーザの手による接触であることを検知することができる。したがって、状態検知部として特別な装置を別途設ける必要がないため、ユーザの手による真の把持であることが検知できる携帯端末を安価に製造することができる。特に上記接触センサが感圧式センサである場合、上記携帯端末がバッグ、ポケット等の中に入れられていると、上記接触センサは、筐体を把持したユーザの手以外の物体との接触であっても、接触を検知してしまう。従って、近接センサおよび照度センサの少なくとも一方を用いて、上記接触センサへの接触がユーザの手による接触であるか否かを判定することによって、より正確に、ユーザへの報知動作を制御することが可能となる。また、特に上記接触センサが静電式センサである場合、上記携帯端末の周囲に誘電性物質が存在すると、上記接触センサは、ユーザの手と接触していなくとも、接触を検知してしまうことがある。従って、角速度センサおよび加速度センサの少なくともいずれか一方を用いて、上記接触センサへの接触がユーザの手による接触であるか否かを判定することによって、より正確に、ユーザへの報知動作を制御することが可能となる。さらに（１）の条件について、上記接触センサへの接触が検知され、かつ、上記近接センサの周囲に物体が存在しない場合、上記携帯端末は、報知音の出力を停止する。従って、例えば上記携帯端末がバッグ、ポケット等の中に入れられて上記携帯端末が周囲に存在する物体と接触している場合等、上記接触センサが、ユーザの手以外の物体との接触を検知してしまった場合に、誤って報知音を消音してしまうことを防ぐことができる。また（２）の条件について、上記接触センサへの接触が検知され、かつ、周囲の照度が所定値より高い（より大きい）場合、上記携帯端末は、報知音の出力を停止する。従って、例えば上記携帯端末がバッグ、ポケット等の中に入れられて上記携帯端末が周囲に存在する物体と接触している場合等、上記接触センサが、ユーザの手以外の物体との接触を検知してしまった場合に、誤って報知音を消音してしまうことを防ぐことができる。（３）の条件について、上記接触センサへの接触が検知され、かつ、上記携帯端末の姿勢が水平ではない場合、上記携帯端末は報知音の出力を停止する。従って、例えば上記携帯端末がテーブル等の上に置いてある場合等、上記接触センサが、人の手以外の物体との接触によって、接触を検知してしまった場合にも、誤って報知音を停止してしまうことを防ぐことができる。（４）の条件について、上記接触センサへの接触が検知され、かつ、上記携帯端末が静止していない場合、上記携帯端末は報知音の出力を停止する。従って、例えば上記携帯端末がテーブル等の上に置いてある場合等、上記接触センサが、人の手以外の物体との接触によって、接触を検知してしまった場合にも、誤って報知音を停止してしまうことを防ぐことができる。（５）の条件について、上記接触センサに接触した物体の温度が、例えば人の体温が取り得るような、所定の範囲の温度である場合、上記携帯端末は、報知音の出力を停止する。従って、上記携帯端末は、上記接触センサが接触を検知しても、上記接触センサに接触した物体の温度が、例えば人の体温が取り得るような、所定の範囲の温度ではない場合、報知音の出力を停止しない。従って、上記接触センサが人の手以外の物体との接触を検知してしまった場合にも、誤って報知音を消音してしまうことを防ぐことができる。
【００６３】
本発明の態様４に係る制御方法は、報知音を出力する携帯端末の制御方法であって、上記携帯端末の筐体に、上記携帯端末を把持したユーザの手が接触する位置に設けられた接触センサによって接触を検知する接触検知ステップ（Ｓ３０、Ｓ１３０、Ｓ２３０）と、上記接触センサへの接触がユーザの手による接触であることを状態検知部によって検知する状態検知ステップ（Ｓ４０・Ｓ５０、Ｓ１４０、Ｓ２４０）と、上記報知音を出力中に、上記接触検知ステップにて上記接触センサへの接触を検知し、かつ、上記状態検知ステップにて当該接触がユーザの手による接触であることを検知した場合、上記報知音の出力を停止させる報知動作制御ステップ（Ｓ６０、Ｓ１５０、Ｓ２５０）と、を含むことを特徴としている。
【００６４】
上記の方法によれば、態様１と同様の効果を奏する。
【００６５】
なお、上記携帯端末は、コンピュータによって実現してもよく、この場合には、コンピュータを上記各手段として動作させることにより上記携帯端末をコンピュータにて実現させる携帯端末の制御プログラム、およびそれを記録したコンピュータ読み取り可能な記録媒体も、本発明の範疇に入る。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６７】
本発明は、報知音を発する、携帯電話機、ＰＨＳ、コードレス電話機等の携帯端末に広く適用することができる。
【符号の説明】
【００６８】
１  スマートフォン（携帯端末），１１  接触センサ，１２  状態検知部，１０３  報知動作制御部（報知動作制御手段），１０５  電源制御部（電源制御手段），１２１  近接センサ，１２２  照度センサ，１２３  傾きセンサ（角速度センサ），１２４  加速度センサ，１２５  温度センサ
【図１】
2015015600.tif 000003
【図２】
2015015600.tif 000004
【図３】
2015015600.tif 000005
【図４】
2015015600.tif 000006
【図５】
2015015600.tif 000007
【図６】
2015015600.tif 000008
【図７】
2015015600.tif 000009
【図８】
2015015600.tif 000010
【図９】
2015015600.tif 000011
【図１０】
2015015600.tif 000012
【図１１】
2015015600.tif 000013
【図１２】
2015015600.tif 000014
【図１３】
2015015600.tif 000015